(57)【特許請求の範囲】
【請求項１】
文字・画像の少なくとも一つ以上からなるデジタル面またはテレビジョン映像を表示する表示部を備えたオーディオ・ビジュアル機器におけるビデオメモリ内の表示データを表示部へ表示させる制御を実行する表示制御回路であって、
通常ライン用の画像表示データを前記表示部の少なくとも水平方向１ライン分記憶できる第１の表示メモリと、
補間ライン用の画像表示データを前記表示部の少なくとも水平方向１ライン分記憶できる第２の表示メモリと、
通常ラインの処理タイミングに達する毎に、ビデオメモリの所定の読出番地から前記１ライン分の画像表示データを読み出し前記第１の表示メモリに格納するとともに前記ビデオメモリの読出番地を更新し、
補間ラインの処理タイミングに達する毎に、前記ビデオメモリの前記所定の読出番地から前記１ライン分の画像表示データを読み出し前記第２の表示メモリに格納し、かつ、前記ビデオメモリにおける前記所定の読出番地の次の読出番地から前記１ライン分の画像表示データを読み出し、当該読み出した画像表示データと前記第２の表示メモリに格納されている画像表示データとの平均を計算し、その計算結果を当該第２の表示メモリに格納するビデオメモリ制御手段とを少なくとも備えたことを特徴とするオーディオ・ビジュアル機器の表示制御回路。
【請求項２】
前記ビデオメモリ制御手段は、前記ビデオメモリ内の表示データの最初の一定ライン数の画像データを読み飛ばし、
それ以降の所定ライン数の画像データを読み込み、通常ライン用の画像表示データを前記第１のラインメモリに格納し、補間ライン用の画像表示データを前記第２のラインメモリに格納し、
残り一定ライン数の画像データを読み飛ばす処理をすることを特徴とする請求項１に記載のオーディオ・ビジュアル機器の表示制御回路。
【請求項３】
前記ビデオメモリ制御手段は、前記ビデオメモリの１ライン分の画像データの内、最初の一定画素数の画像データを読み飛ばし、以後の所定画素数の画像データを前記ビデオメモリより読み込み、残り一定画素数の画像データを読み飛ばす処理をし、かつ前記読み込んだ所定画素数の画像データの１画素を第１の表示メモリまたは第２の表示メモリに書き込むときに複数ドットに対応させて書き込むことを特徴とする請求項１または２に記載のオーディオ・ビジュアル機器の表示制御回路。
【発明の詳細な説明】
【０００１】
【発明の属する技術分野】
本発明は、オーディオ・ビジュアル機器の表示制御回路に係り、特に、文字・画像の一方あるいは双方からなるデジタル面、テレビジョン映像及びオン・スクリーン・ディスプレイ手法による表示ができる表示部を備えたオーディオ・ビジュアル機器における表示部の表示制御を行なう表示制御回路に関する。
【０００２】
【従来の技術】
従来、例えばテレビジョン（テレビ）受信機能とＦＭラジオ受信機能とを併せ持ったオーディオ・ビジュアル（ＡＶ）機器は、所定の大きさの筐体に、スピーカ、表示部、電源スイッチ、チャネル・選局や音量調整のための操作部、及び外部の機器と接続するためのジャック端子等が配置されているものが一般的である。
【０００３】
このようなＡＶ機器において、前記操作部からの操作指令は中央演算処理装置（ＣＰＵ）に一旦取り込まれ、当該操作指令に基づく前記ＣＰＵからの指令により、テレビ受信機能あるいはＦＭラジオ機能の選択、チャネル・選局、あるいは、音量等調整の処理を行っている。そして、従来のオーディオ・ビジュアル機器では、文字・画像の少なくとも一つ以上からなるデジタル面、テレビジョン映像、あるいは、オン・スクリーン・ディスプレイを表示部に表示することができる。
【０００４】
図９は、従来のオーディオ・ビジュアル機器における表示系統の一例を示すブロック図である。
この図９において、従来のオーディオ・ビジュアル機器の表示系統１１０は、各種制御を実行する処理装置１１２と、表示データを格納しあるいは表示データ作成時の作業領域を提供するビデオメモリ（ＶＲＡＭ）１１４と、所定の画素数のカラー液晶パネル（ＬＣＤ）などからなる表示部１１６と、前記ビデオメモリ１１４から表示データを読み出して表示部１１６に与える表示制御回路１１８とから構成されている。そして、表示部１１６には、文字・画像の少なくとも一つ以上からなるデジタル面、または、テレビジョン映像を切り替えて表示できようになっている。また、表示部１１６には、オン・スクリーン・ディスプレイ手法による表示も可能となっている。
【０００５】
オーディオ・ビジュアル機器の例えば操作部が操作されると、処理装置１１２は、デジタル表示データを形成して当該表示データをビデオメモリ１１４に書き込む。表示制御回路１１８は、ビデオメモリ１１４に書き込まれたデジタル表示データを読み出し、表示部１１６に与えて表示をする。このように表示制御回路１１８は、ビデオメモリ１１４内に書き込まれた表示データを表示部１１６へ表示させる制御を実行している。そして、このような表示制御回路１１８を携帯型オーディオ・ビジュアル機器に採用し、デジタルカメラ等から得られた画像を携帯型オーディオ・ビジュアル機器の表示部１１６に表示する場合、表示部１１６の画素数とデジタルカメラなどのデジタル画像データの画素数とを一対一に対応させて表示させることになる。
【０００６】
【発明が解決しようとする課題】
しかしながら、上述したように従来の表示制御回路１１８により、表示部１１６の画素数とデジタル画像データの画素数とを一対一に対応させて表示させる場合、携帯型オーディオ・ビジュアル機器の表示部１１６の画素数とデジタルカメラなどの画素数とが一致しないことも多く、表示部１１６の仕様によってはアスペクト比（縦横比）が乱れたり、表示範囲が極端に少なくなったりすることがある。
【０００７】
そこで、従来の表示制御回路１１８では、表示部１１６の画素数が画像データの画素数より大きい場合に、画像データの不足している情報を、画像データの読出ラインとその読出ラインの次の読出ラインとで平均をとって補間する処理を行っていた。このため、従来の表示制御回路１１８では、一般に２本（系統）のラインメモリを使用し、ビデオメモリ（ＶＲＡＭ）１１４からの書き込みと読み出しとを交互に行い表示処理をしている。また、平均をとる補間データを作成するために２本のメモリが必要となり、２系統に各２本で計４本のラインメモリが必要となる。
【０００８】
すなわち、従来の表示制御回路１１８では、補間計算を行なうために２本のラインメモリを設けるほか、表示部１１６への表示を行なうために、さらに２本の表示用ラインメモリを設け、合計４本のラインメモリを用意する必要があり、部品点数が多く回路構成が煩雑になるという欠点があった。
また、従来の表示制御回路１１８では、画像をスクロールして全体を表示させようとすると、その処理が複雑になって処理スピードが遅く表示ができないということがあった。
【０００９】
本発明は、上述した欠点を解消するためになされたものであって、簡単な回路構成で高速に動作させることができるようにすることを目的としている。
【００１０】
【課題を解決するための手段】
上記目的を達成するために本発明に係るオーディオ・ビジュアル機器の表示制御回路は、文字・画像の少なくとも一つ以上からなるデジタル面またはテレビジョン映像を表示できる表示部を備えたオーディオ・ビジュアル機器におけるビデオメモリ内の表示データを表示部へ表示させる制御を実行する表示制御回路であって、通常ライン用の画像表示データを表示部の少なくとも水平方向１ライン分記憶できる第１の表示メモリと、補間ライン用の画像表示データを表示部の少なくとも水平方向１ライン分記憶できる第２の表示メモリと、通常ラインの処理タイミングに達する毎に、前記ビデオメモリの所定の読出番地から前記１ライン分の画像表示データを読み出し前記第１の表示メモリに格納するとともに前記ビデオメモリの読出番地を更新し、補間ラインの処理タイミングに達する毎に、前記ビデオメモリの前記所定の読出番地から前記１ライン分の画像表示データを読み出し前記第２の表示メモリに格納し、かつ、前記ビデオメモリにおける前記所定の読出番地の次の読出番地から前記１ライン分の画像表示データを読み出し、当該読み出した画像表示データと前記第２の表示メモリに格納されている画像表示データとの平均を計算し、その計算結果を当該第２の表示メモリに格納するビデオメモリ制御手段とを少なくとも備えたことを特徴とする。
【００１１】
このように形成した本発明においては、ビデオメモリ制御手段は、補間計算を、第２の表示メモリのみを用いて行なうことができるほか、前記第２の表示メモリを補間表示に兼用させることにより、表示メモリ（ラインメモリ）２本で済ませることができ、部品点数が少なく回路構成を簡単にできる。また、通常ラインと補間ラインとで表示ができるので、画像の品質を落とすことなく表示できる。
【００１２】
ビデオメモリ制御手段は、ビデオメモリ内の表示データの最初の一定ライン数の画像データを読み飛ばし、それ以降の所定ライン数の画像データを読み込み、通常ライン用の画像表示データを第１のラインメモリに格納し、補間ライン用の画像表示データを第２のラインメモリに格納し、残り一定ライン数の画像データを読み飛ばす処理をするように構成できる。
これにより、垂直方向における画像についてのデータの画素数と表示部の画素数とが異なっている場合であっても、画像の品質を落とすことなく表示することができる。
【００１３】
また、ビデオメモリ制御手段は、ビデオメモリの１ライン分の画像データの内、最初の一定画素数の画像データを読み飛ばし、以後の所定画素数の画像データを前記ビデオメモリより読み込み、残り一定画素数の画像データを読み飛ばす処理をし、かつ読み込んだ所定画素数の画像データの１画素を第１の表示メモリまたは第２の表示メモリに書き込むときに複数ドットに対応させて書き込むように構成できる。
これにより、水平方向における画像データの画素数と表示部の画素数とが異なっていても、画像の品質を落とすことなく表示することができる。
【００１６】
【発明の実施の形態】
本発明に係るオーディオ・ビジュアル機器の表示制御回路の好ましい実施の形態を、添付図面に従って詳細に説明する。
図２は本発明の実施形態に係るオーディオ・ビジュアル機器（ＡＶ機器）１０の斜視図である。このＡＶ機器１０の本体１２は図３の回路を内蔵しており搭載した電池によって駆動可能な携帯用であって、テレビ受信機能、ＦＭ放送受信機能、蓄積した音楽データの再生機能、さらにはデジタルカメラ等で撮影した画像データを再生する画像再生機能を有している。
【００１７】
本体１２の正面側の右側部には、メインスイッチ２０、メニュースイッチ２４及びジョグスイッチからなる選択スイッチ２２がそれぞれ取り付けられており、このメインスイッチ２０をオンにすると、機器制御部（ＣＰＵ）４４は表示制御部５２を介してビデオメモリ（ＶＲＡＭ）５４にメニュー画面を作成し、液晶コントローラ３６を介して表示部１４に送り出されて、メニュー画面が表示される。メニュー（動作モード）として、例えば、テレビ受信モード（ＴＶモード）、ＦＭラジオ受信モード（ＦＭモード）、蓄積した音楽データ（音響データ）を再生するオーディオモード、デジタルカメラ等により撮影した画像データなどを表示させる画像モード等があり、選択スイッチ２２を上または下に動かすことによりモードが選択される。また、選択されたモードからメニュー画面に移行する場合はメニュースイッチ２４を押すことにより移行する。
【００１８】
なお、本体１２の上部端面には図示しない音量ボタンが取り付けられている。また、本体１２には音響出力部となるイヤホンジャックが設けてあり、このイヤホンジャックを介してヘッドホンやイヤホンによって音楽データ（音響データ）が出力されるようになっている。さらに、本体１２の左側部には、図示しない外部記憶装置となるメモリカードを装着する挿入口が設けられており、蓄積した音楽データや、デジタルカメラ等により撮影された画像データ等を記録したメモリカードを装着することにより、メモリカードＩ／Ｆ４６を介して音楽の再生や画像の再生が出来るようになっている。
【００１９】
そして、その正面には蓋１６が開閉自在に取り付けられており、この蓋１６を開くと、カラー液晶パネル（ＬＣＤ）等で構成された表示部１４が現れる。
また、蓋１６の基部には、蓋１６の開閉に連動してパルス状の信号を出力する表示スイッチ１８が設けてあり、蓋１６が開いた状態にある時は表示部１４がオンされて画像情報が表示され、蓋１６を閉じて表示部を遮蔽すると表示部１４がオフされて画像情報が消えるようになっており、消費電力の節約が図られるようになっている。
【００２０】
図３は本発明のＡＶ機器１０の構成を示したブロック図である。このＡＶ機器１０は、アンテナ２６、ＴＶチューナ２８、ＩＦ・クロマ処理部３２、音声検波部３８、表示切替え部３４、液晶コントローラ３６、表示部１４、ＦＭチューナ３０、音声増幅部４０、音声発生部４２、機器制御部（ＣＰＵ）４４、メモリカードＩ／Ｆ４６、音声・画像再生部５０、表示制御部５２、ビデオメモリ（ＶＲＡＭ）５４を備えている。
【００２１】
アンテナ２６により受信された電波は、ＴＶチューナ２８によりチューニングされ、ＩＦ・クロマ処理部３２によりテレビの画像信号（映像信号）が復調され、また、音声信号は音声検波部３８により検波される。ＩＦ・クロマ処理部３２により復調された画像信号（映像信号）は、表示切替え部３４を介して液晶コントローラ３６に送り出されて表示部１４にテレビ画像が表示される。
【００２２】
また、音声検波部３８により検波された音声信号、ＦＭチューナ３０によりチューニングされた音声信号、および音声・画像再生部５０により再生された音声信号は、音声増幅部４０に入力されて増幅され、音声発生部４２により音声が得られる。なお、音声増幅部４０は、機器制御部（ＣＰＵ）４４からの制御信号により、入力された音声信号の何れか１つを選択してその音声信号を増幅する。例えば、動作モードがＴＶモードに設定されている場合には音声検波部３８により検波された音声信号が選択され、動作モードがＦＭモードに設定されている場合にはＦＭチューナ３０によりチューニングされた音声信号が選択され、動作モードがオーディオモードまたは画像モードに設定されている場合には音声・画像再生部５０により再生された音声信号が選択される。
【００２３】
次に、動作モードとしてＴＶモードが設定された場合の動作について説明する。アンテナ２６により受信された電波は、ＴＶチューナ２８で所定のチャネルにチューニングされる。ＩＦ・クロマ処理部３２はそのチューニングされた信号から画像信号（映像信号）を得て、その画像信号（映像信号）の輝度信号及び色信号を３原色（Ｒ、Ｇ、Ｂ）の画像信号に復調して、表示切替え部３４に送出する。動作モードがＴＶモードに設定されているときには、表示切替え部３４はＩＦ・クロマ処理部３２からの画像信号を液晶コントローラ３６に出力する。液晶コントローラ３６はその画像信号に基づいて表示部１４にテレビ画像を表示させる。また、音声検波部３８は、ＴＶチューナ２８で所定のチャネルにチューニングされた信号から音声信号を検波して音声増幅部４０に出力する。音声増幅部４０はその音声信号を増幅して音声発生部４２に出力し、音声発生部４２から上記の表示部１４のテレビ画像に対応した音声が出力される。
【００２４】
また、動作モードがＦＭモードに設定された場合については、アンテナ２６により受信された電波は、ＦＭチューナ３０で所定の周波数にチューニングされ、その音声信号は音声増幅部４０に出力される。音声増幅部４０はその音声信号を増幅して音声発生部４２に出力し、音声発生部４２からチューニングされた放送局の音声が出力される。
【００２５】
また、動作モードが画像モードに設定されている場合については、デジタルカメラ等で撮影した画像をメモリカードに格納しておいて、メモリカードをメモリカード挿入口に挿入して装着する。機器制御部（ＣＰＵ）４４はメモリカードＩ／Ｆ４６を介してメモリカードに格納されている音声データ（メモリカードに音声データも格納されている場合）および画像データを取り込んで、音声・画像再生部５０に出力する。音声・画像再生部５０は音声データおよび画像データをそれぞれ再生し、音声信号を音声増幅部４０に出力し、画像データを表示制御部５２に出力する。音声増幅部４０は入力された音声信号を増幅して音声発生部４２に出力し、音声発生部４２からメモリカードに格納されている音声が出力される。また、表示制御部５２は画像データをビデオメモリ５４に格納して表示画像を展開した後に表示切替え部３４に出力する。動作モードが画像モードに設定されている場合には、表示切替え部３４は表示制御部５２からの画像信号を液晶コントローラ３６に出力する。液晶コントローラ３６はその画像信号に基づいて表示部１４にデジタルカメラの画像を表示させる。
【００２６】
図１は表示系統９０の構成を示したブロック図であり、表示制御部５２は表示系統９０の一部を構成している。前記表示系統９０は、各種制御を実行する処理装置としての機器制御部４４と、表示データを格納しあるいは表示データ作成時の作業領域を提供するビデオメモリ（ＶＲＡＭ）５４と表示データを画像にするカラー液晶パネル（ＬＣＤ）からなる表示部１４と、前記機器制御部４４による書き込み・読み出しが可能とされかつ前記ビデオメモリ５４から表示データを読み出して表示部１４に与える表示制御部５２と、表示制御部５２と表示部１４との間に介在させた表示切替え部３４（図３参照）、液晶コントローラ３６（図３参照）並びにメモリカードに記録されたデータを再生する音声・画像再生部５０とから構成されている。
【００２７】
また、上述した表示制御部５２は、大別するとバッファ９２と、ビデオメモリ制御手段９４と、第１の表示メモリ９６ａと、第２の表示メモリ９６ｂと、オン・スクリーン・ディスプレイ（ＯＳＤ）回路９８と、ＯＳＤメモリ９９とから構成されている。このような構成要素からなる表示制御部５２によれば、表示部１４に文字・画像の少なくとも一つ以上からなるデジタル面と、テレビジョン映像と、オン・スクリーン・ディスプレイ手法による表示とを表示させることができる。この場合、デジタル面と、テレビジョン映像とは、切換えて表示させることができる。
上述したＡＶ機器１０の表示制御部５２は、後述するように、文字・画像の一方あるいは双方からなるデジタル面、テレビジョン映像及びオン・スクリーン・ディスプレイ手法による表示を表示部１４に表示する。
【００２８】
機器制御部４４は、ＣＰＵ（中央演算処理装置）で構成されており、図示しない主メモリに格納されたプログラムを処理することにより、ＡＶ機器１０の操作部からの操作指令に基づいてＡＶ機器１０の各種機能、制御を実行する。
さらに、各構成要素の詳細を説明すると、前記機器制御部４４は、ＣＰＵ（中央演算処理装置）で構成されており、図示しない主メモリに格納されたプログラムを処理することにより、ＡＶ機器１０の操作部からの操作指令に基づいてＡＶ機器１０の各種制御を実行する。
【００２９】
前記ビデオメモリ（ＶＲＡＭ）５４は、所定の記憶容量を有するランダムアクセスメモリである。そして、表示部１４は、所定の画面寸法で例えば９３．３画素×２２０画素の画素数（横２８０ドット×縦２２０ドット）をもったカラー液晶ディスプレイから構成されている。
【００３０】
次に、表示制御部５２を構成する要素の詳細を説明すると、前記バッファ９２は文字で１行分の記憶容量を有しており、例えば横１６ドット×縦１６ドット×１７．５文字分に、カラー表示用に１ドット当たりのデータは２ビットであるので、合計１１２０バイトの記憶容量に設定している。このバッファ９２は前記機器制御部４４により書き込みあるいは読み出しができるようになっている。また、上記バッファ９２は、ビデオメモリ制御手段９４により書き込みあるいは読み出しができるようになっている。
【００３１】
第１の表示メモリ９６ａは、前記表示部１４の少なくとも水平方向１ライン分の記憶容量を備えたラインメモリであり、デジタル面の画像を処理する場合には通常ライン用の表示メモリとして使用される。
第２の表示メモリ９６ｂは、前記表示部１４の少なくとも水平方向１ライン分の記憶容量を備えたラインメモリであり、デジタル面の画像を処理する場合には補間ラインを計算するメモリに使用されるとともに補間ライン用の表示メモリとしても使用される。
なお、図示されていない表示メモリがあり、デジタル面のうち文字のデータ用に使用される。
【００３２】
前記ビデオメモリ制御手段９４は、機器制御部４４によりバッファ９２に書き込まれたデジタル面データを表示データに変換しビデオメモリ５４に書き込むことができるようになっている。デジタル面のうち、主に文字に関してはこの方法でビデオメモリ５４に書き込まれる。また、このビデオメモリ制御手段９４は、ビデオメモリ５４に書き込まれた表示データを読み出してデジタル面データにしバッファ９２に書き込むことができるようになっている。そして、ビデオメモリ制御手段９４は、音声・画像再生部５０からのデジタル画像データを受け取り、表示データにしてビデオメモリ５４に格納することができる。デジタル面のうち、画像に関しては主にこの方法でビデオメモリ５４にデータが書き込まれる。その上、このビデオメモリ制御手段９４は、ビデオメモリ５４に書き込まれた表示データを読み出し、上記第１の表示メモリ９６ａあるいは第２の表示メモリ９６ｂに交互に書き込むことができるようになっている。
【００３３】
次に、ビデオメモリ５４に書き込まれたデータを表示部１４に表示する動作について述べる。ビデオメモリ制御手段９４は、デジタル面の画像を処理するときには、通常ラインの処理タイミングに達する毎に、ビデオメモリ５４の所定の読出開始番地から前記１ライン分の表示データを順次読み出し、前記第１の表示メモリ９６ａに格納した後、前記ビデオメモリ５４の読出開始番地を更新（インクリメント）するようになっている。
【００３４】
さらに、ビデオメモリ制御手段９４は、デジタル面の画像を処理するときには、補間ラインの処理タイミングに達する毎に、前記ビデオメモリ５４の前記所定の読出開始番地から前記１ライン分の表示データを読み出し前記第２の表示メモリ９６ｂに格納し、かつ、前記ビデオメモリ５４における前記所定の読出開始番地の次の読出開始番地から前記１ライン分の表示データを読み出し、当該読み出した画像表示データと前記第２の表示メモリ９６ｂに格納されている画像表示データとの平均を計算し、その計算結果を当該第２の表示メモリ９６ｂに上書きして格納するようになっている。
【００３５】
図７は、表示制御部５２における通常ラインのビデオメモリと表示メモリとの関係を説明するための図であり、（１）が通常ラインのビデオメモリと第１の表示メモリとの関係を、（２）が補間ラインのビデオメモリと第２の表示メモリとの関係を示す図である。
【００３６】
ビデオメモリ制御手段９４は、デジタル画面の画像処理において、通常ラインの処理タイミングが来ると、図７（１）に示したように、ビデオメモリ５４の所定の読出開始番地（例えば、第６ライン目）から１ライン分の画像データ２００を読み出し、前記第１の表示メモリ９６ａに表示データ２０２として格納した後、前記ビデオメモリ５４の読出開始番地を更新（インクリメント）して通常ラインの処理を行なう。
【００３７】
また、ビデオメモリ制御手段９４は、デジタル画面の画像処理において、補間ラインの処理タイミングが来ると、第６ライン目について通常ラインの表示処理に並行して、まず前記ビデオメモリ５４の前記所定の読出開始番地（第６ライン目）から前記１ライン分の画像データ２００（ｎ）を読み出し、前記第２の表示メモリ９６ｂに表示データ２０２（ｎ）として格納する。次に、ビデオメモリ制御手段９４は、前記ビデオメモリ５４における前記所定の読出開始番地の次の読出開始番地（第７ライン目）における１ライン分の画像表示データ２００（ｎ＋１）について、最初の画素データを読み出す。このとき、ビデオメモリ制御手段９４は、前記第２の表示メモリ９６ｂに格納されている第６ライン目の画素データ２０２（ｎ）の、第７ライン目のデータ２００（ｎ＋１）の読み出した画素データと同じ水平位置にあたる画素データも合わせて読み出す。そして、ビデオメモリ制御手段９４は、ビデオメモリ５４から読み出した第７ライン目の１画素分のデータ２００（ｎ＋１）と、第２の表示メモリ９６ｂから読み出した第６ライン目の１画素分のデータ２００（ｎ）との平均値を計算し、求めた平均値を読み出した第２の表示メモリ９６ｂのアドレスに上書きする。
【００３８】
ビデオメモリ制御手段９４は、最初の画素について平均値を求め、それを第２の表示メモリ９６ｂに上書きすると、ビデオメモリ５４からデータ２００（ｎ＋１）の次の画素についてのデータを読み出すとともに、第２の表示メモリ９６ｂに格納してあるデータ２０２（ｎ）の、ビデオメモリ５４から読み出した画素と同じ水平位置にある画素のデータを読み出し、これらの平均を求めて第２の表示メモリ９６ｂの読み出したデータのアドレスに上書きする。
【００３９】
ビデオメモリ制御手段９４は、以下同様にして前記所定の読出開始番地（第６ライン目）の画像表示データと、この所定の読出開始番地の次の読出開始番地（第７ライン目）の画像データとの平均値を求め、これを補間データとして第２の表示メモリ９６ｂに上書きする。なお、この実施形態においては、１画素についての画像表示データは、２ワードによって構成してある。
【００４０】
さらに、ビデオメモリ制御手段９４は、次の通常ラインの処理タイミングが来ると、補間ラインの表示処理と並行してビデオメモリ５４の前記所定の読出開始番地の次の読出開始番地（第７ライン目）から１ライン分の画像表示データを読み出し、前記と同様に第１の表示メモリ９６ｂに書き込み、ビデオメモリ５４の読出開始番地を更新（インクリメント）するとともに、通常ラインの処理を行なう。また、ビデオメモリ制御手段は、次の補間ラインの処理タイミングが来ると、先ほど第１の表示メモリ９６ａに書き込んだのと同じ読出開始番地（第７ライン目）から１ライン分の画像表示データをビデオメモリ５４から読み出して第２の表示メモリ９６ｂに書き込み、その後、第２の表示メモリ９６ｂに書き込んだ次の読出開始番地（第８ライン目）における１ライン分の画像表示データについて、最初の１画素分のデータを読み出すとともに、第２の表示メモリ９６ｂに格納した第７ライン目の１ライン分のデータから、第８ライン目について読み出した画素データと同じ水平位置にある画素のデータを読み出し、両者の平均を求めて第２の表示メモリ９６ｂの読み出したアドレスに上書きする。
【００４１】
ビデオメモリ制御手段９４は、以下同様にして第７ライン目の画像表示データと第８ライン目の画像表示データとの平均として求めた補間データを第２の表示メモリ９６ｂに書き込む。そして、ビデオ制御手段９４は、表示部１４への表示が終了するまで上記の動作を繰り返す。
【００４２】
前記オン・スクリーン・ディスプレイ回路１８６は、機器制御部４４から制御信号を受けてＯＳＤメモリ９９に格納してある音量の表示データ、画面の明るさを表示するデータを読み出し、前記第１の表示メモリ９６ａまはた第２の表示メモリ９６ｂから読み出された表示データに対して、必要に応じてオン・スクリーン・ディスプレイデータを重畳し、表示切替え部３４、液晶コントローラ３６を介して表示部１４に供給できるようになっている。
【００４３】
なお、上述した「デジタル面」は、文字と画像とを重ね合わせて表示が可能となっている。また、「デジタル面」は、「通常文字面」と「スクロール文字」との組み合わせで表示されるものである。また、「通常文字面」と「スクロール文字」とは、ビデオメモリ５４上の別なエリアに格納されているが、表示の際に重ね合わせることが可能である。
また、「デジタル面における画像」は、例えば元ファイルのサイズが横１６０画素×縦１２０画素からなるものとして説明する。
【００４４】
次に、ＡＶ機器１０の表示制御部５２の動作を、図１を基に図４ないし図８を参照しながら説明する。
（水平方向の処理動作）
図４は、本発明の実施形態に係るＡＶ機器１０の表示制御部５２による水平方向の処理動作を説明するための図である。図５は、ＡＶ機器１０の表示制御部５２による水平方向の処理動作を説明するためのタイミングチャートである。
【００４５】
ビデオメモリ５４に書き込まれた画像は、上述したように１６０×１２０画素のデータである。また、ビデオメモリ５４上の１ライン分の画像のデータは、図４に示すように、水平方向が１６０画素からなる。また、表示部１４は、上述したように９３．３×２２０画素で構成されている。さらに、第１の表示メモリ９６ａ及び第２の表示メモリ９６ｂは、表示部１４の画素数ではなく、表示ドットを基準に２８０バイト分で構成されているものとする。なお、１画素は１６ビット（２バイト）のデータから構成されているものとする。
【００４６】
ここで、ビデオメモリ制御手段９４は、ビデオメモリ５４に書き込まれている１ライン分の画像データ２００を読み出すときに、次のような水平方向の処理を実行する。すなわち、ビデオメモリ制御手段９４は、図５に示す水平クロックに同期し、かつ水平同期信号の“１”を開始時点ｔ１として１０画素分（アドレス０〜９まで）を読み飛ばす。そして、ビデオメモリ制御手段９４は、ｔ２で１１画素目のアドレス１０を指定し、この時点以後、水平クロックに同期させてアドレスを一つずつ増加（インクリメント）させながら１５０画素目のアドレス１４９まで順次指定し（図５に示すｔ２〜ｔ４の間）、表示メモリ書込期間（図５に示すｔ３〜ｔ５の間）にビデオメモリ５４から画像のデータを読み出しては第１の表示メモリ９６ａまたは第２の表示メモリ９６ｂに書き込んだ後、残り１０画素分を読み飛ばす処理を行なう。
【００４７】
ここで、ビデオメモリ制御手段９４は、表示メモリ書込期間（図５に示すｔ３〜ｔ５の間）中、ビデオメモリ５４から読み出した画像データの１画素分を、第１の表示メモリ９６ａまたは第２の表示メモリ９６ｂに書き込むときに、ビデオメモリ５４の画像データの１画素分を第１の表示メモリ９６ａまたは第２の表示メモリ９６ｂの２ドット分に割り当てて書き込む処理を行なう。
【００４８】
これにより、実際には、表示メモリ書込期間（図５に示すｔ３〜ｔ５の間）において、ビデオメモリ５４から１４０画素分が読み出されることになるが、１４０画素×２ドット＝２８０ドットとなって、第１の表示メモリ９６ａまたは第２の表示メモリ９６ｂに１ライン分の表示データ２０２として格納されることになる（図７参照）。
【００４９】
ここで、通常ラインと補間ラインとの違いについて述べる。図７は、表示制御部５２における通常ラインのビデオメモリと表示メモリとの関係を説明するための図であり、（１）が通常ラインのビデオメモリと第１の表示メモリとの関係を、（２）が補間ラインのビデオメモリと第２の表示メモリとの関係を示す図である。
【００５０】
通常ラインにおいて、ビデオメモリ５４に書き込まれたデータを表示メモリ９６ａに書き込む動作について述べる。ビデオメモリ制御手段９４は、デジタル面の画像を処理するとき、所定の開始タイミングが来ると、ビデオメモリ５４の所定の読出開始番地から前記１ライン分の表示データを順次読み出し、前記第１の表示メモリ９６ａに格納した後、前記ビデオメモリ５４の読出開始番地を更新（インクリメント）するようになっている。これにより、ビデオメモリ５４の所定の１ライン分のデータがそのまま表示メモリ９６ａに書き写されることになる。
【００５１】
一方、補間ラインにおいては、ビデオメモリ制御手段９４は、デジタル面の画像を処理するときに、所定の開始タイミングが来ると、まず前記ビデオメモリ５４の前記所定の読出開始番地から前記１ライン分の表示データを読み出し前記第２の表示メモリ９６ｂに格納する。次に、前記ビデオメモリ５４における前記所定の読出開始番地の次の読出開始番地から前記１ライン分の表示データを順次読み出す。このとき、当該読み出した画像表示データと同じ水平位置にあたる前記第２の表示メモリ９６ｂに格納されている画像表示データのデータも合わせて読み出す。そして、ビデオメモリ制御手段９４は、それら前記ビデオメモリ５４から読み出された画像表示データと前記第２の表示メモリ９６ｂから読み出された画像表示データとの平均を計算して、当該第２の表示メモリ９６ｂのデータのアドレス上に上書きする。したがって、平均をとる時のビデオメモリ５４からの読み出しは間欠的になる。なお、この実施例では１画素のデータは２バイトで構成されており、平均は２バイト分のデータがそろわないと計算できないため、平均値を計算して書き込む際のビデオメモリ５４および第２の表示メモリ９６ｂへのアクセスは２バイトを１単位に行われる。ただし、１画素のデータが１ワードで構成されていれば１ワード単位のアクセスでもかまわない。
【００５２】
（垂直方向の処理動作）
図６は、本発明の実施形態に係るＡＶ機器１０の表示制御部５２による垂直方向の処理動作をした際の、ビデオメモリと画面表示との関係を説明するための図であり、（１）はビデオメモリの格納状態を、（２）は画面表示の状態を説明する図である。
図７は、表示制御部５２における通常ラインのビデオメモリと表示メモリとの関係を説明するための図であり、（１）が通常ラインのビデオメモリと第１の表示メモリとの関係を、（２）が補間ラインのビデオメモリと第２の表示メモリとの関係を示す図である。
図８は、ＡＶ機器１０の表示制御部５２による垂直方向の処理動作を説明するためのタイミングチャートである。
【００５３】
まず、ビデオメモリ制御手段９４は、図６（１）に示すビデオメモリ（ＶＲＡＭ）５４から画像のデータを読み出すときに、図８に示すように、垂直クロックに同期しながら、垂直同期信号が“１”になった後所定の期間を経てから、ライン数を「１」から１つずつ増加させて「１２０」までインクリメントし、次の垂直同期信号が“１”で再びライン数を「１」から開始するという動作を、表示部１４に表示している間繰り返して処理をしている。そして、ビデオメモリ制御手段９４は、１つの垂直同期の周期において、ライン数が５ラインに達するまでビデオメモリ５４の画像のデータを読み飛ばし、ビデオメモリ５４の６ライン目から１１５ライン目まで画像のデータを読み出し、１１６ラインから１２０ラインの５ラインを読み飛ばす。なお、ビデオメモリ制御手段９４は、補間処理を行なうために、ビデオメモリ５４の１１６ライン目も読み出す。
【００５４】
また、表示部１４の表示は、図６（２）及び図８の表示メモリの読出（＝表示）の欄のように、垂直クロックに同期して、ｔ１３から通常ライン（６）、補間ライン（６／７の平均）、通常ライン（７）、補間ライン（７／８の平均）、……、ｔ１８における補間ライン（１１５／１１６の平均）というように、第１の表示メモリ９６ａまたは第２の表示メモリ９６ｂに書き込まれたデータが交互に読み出されては表示される。
【００５５】
ここで、ビデオメモリ制御手段９４は、垂直クロックに同期し、補間ラインの表示がされている期間（あるいはその期間に相当する期間（例えばｔ１２〜ｔ１３））に、通常ラインの処理をする。同様に、ビデオメモリ制御手段９４は、垂直クロックに同期し、通常ラインの表示がされている期間（例えばｔ１３〜ｔ１４）に、補間ラインの処理をする。
【００５６】
ここで、ビデオメモリ制御手段９４は、垂直クロックに同期し、例えば図８のｔ１２〜ｔ１３の期間に、図７（１）に示すように、ビデオメモリ５４の６ライン目の１ライン分の画像のデータを読み出し、上述の水平方向の処理動作により、第１の表示メモリ９６ａに表示データ２０２（図７（１）では「６」と表示されている）として書き込み、通常ラインの処理を行なう。
【００５７】
つぎに、ビデオメモリ制御手段９４は、垂直クロックに同期し、例えば図８のｔ１３〜ｔ１４の期間（通常ラインの表示期間）に、図７（２）に示すように、ビデオメモリ５４の６ライン目の１ライン分の画像のデータ２００（ｎ）を読み出し、上述の水平方向の処理動作により、第２の表示メモリ９６ｂに表示データ２０２（ｎ）（図７（２）では「６」と表示されている）として書き込み、ついでビデオメモリ５４の７ライン目の１ライン分の画像のデータ２００（ｎ＋１）を読み出して上述の水平方向の処理動作により、当該読み出した水平方向の処理がされた７ライン目の画像表示データと前記第２の表示メモリ９６ｂに格納されている６ライン目の画像表示データとの平均を計算し、その計算結果を当該第２の表示メモリ９６ｂの、６ライン目のデータが書き込まれている同一アドレスに上書きして格納し、補間ラインの処理を行なう。
【００５８】
続いて、ビデオメモリ制御手段９４は、垂直クロックに同期し、例えば図８のｔ１４〜ｔ１５の期間（補間ラインの表示期間）に、図７（１）に示すように、ビデオメモリ５４の７ライン目の１ライン分の画像のデータを読み出し、上述の水平方向の処理動作により、第１の表示メモリ９６ａに表示データ２０２（図８では「７」と表示されている）として書き込み、通常ラインの処理を行なう。
【００５９】
つぎに、ビデオメモリ制御手段９４は、垂直クロックに同期し、例えば図８のｔ１５〜ｔ１６の期間（通常ラインの表示期間）に、図７（２）に示すように、ビデオメモリ５４の７ライン目の１ライン分の画像のデータ２００（ｎ）を読み出し、上記水平方向の処理動作で説明したように処理して、第２の表示メモリ９６ｂに表示データ２０２（ｎ）として書き込み、ついでビデオメモリ５４の８ライン目の１ライン分の画像データ２００（ｎ＋１）を読み出し、上記水平方向の処理を施した後、当該読み出し水平方向の処理がされた８ライン目の画像表示データと前記第２の表示メモリ９６ｂに格納されている７ライン目の画像表示データとの平均を計算し、その計算結果を当該第２の表示メモリ９６ｂの、７ライン目のデータが記録されている同一アドレスに格納して、補間ラインの処理を行なう。ビデオメモリ制御手段９４は、このような処理を順次繰り返し、ｔ１８まで処理したところで、再び、ｔ１１以降の処理を繰り返すことになる。
【００６０】
上述の動作をまとめると、ビデオメモリ制御手段９４は、通常ラインの処理タイミング（図８のＶＲＡＭからの読出欄のｔ１２、ｔ１４、ｔ１６、………の一つ前のタイミングまで）に達する毎に、ビデオメモリ５４の所定の読出開始番地から前記１ライン分の画像表示データを読み出して前記第１の表示メモリ９６ａに格納するとともに、前記ビデオメモリの読出開始番地を更新することになる。
【００６１】
また、ビデオメモリ制御手段９４は、補間ラインの処理タイミング（図８のＶＲＡＭからの読出欄のｔ１３、ｔ１５、………、ｔ１７）に達する毎に、前記ビデオメモリ５４の前記所定の読出開始番地から前記１ライン分の画像表示データを読み出し前記第２の表示メモリ９６ｂに格納し、かつ、前記ビデオメモリ５４における前記所定の読出開始番地の次の読出開始番地から前記１ライン分の画像表示データを読み出し、当該読み出した画像表示データと前記第２の表示メモリ９６ｂに格納されている画像表示データとの平均を計算し、その計算結果を当該第２の表示メモリ９６ｂの同一番地に格納する。
【００６２】
このように、補間ライン（第２の表示メモリ９６ｂ）に２つのラインの平均値が書き込まれ、これに基づいた表示が行われるので、画像の品質を落とすことなく表示することができる。また、２本の表示メモリ９６ａ、９６ｂにより実現できるため、簡単な回路構成で部品点数を少なくできる。
【００６３】
【発明の効果】
以上説明したように本発明によれば、補間計算を、第２の表示メモリ一つを用いて行なうことができるほか、前記第２の表示メモリを補間ラインの表示に兼用させることにより、部品点数を表示メモリ（ラインメモリ）２本で済ませることができ、回路構成を簡単にできる。
【００６４】
また、本発明では、補間ラインは表示部の上下の通常ラインの平均値を表示できるようにしたので、画像の品質を落とすことなく表示ができる。
さらに、本発明では、水平方向も１画素当たり２ドットで第１の表示メモリまたは第２の表示メモリに書き込まれるため、画像の品質を落とすことなく表示ができる。
【図面の簡単な説明】
【図１】本発明の実施の形態に係るオーディオ・ビジュアル機器の表示制御部を含む表示系統を示すブロック図である。
【図２】本発明の実施の形態に係るオーディオ・ビジュアル機器の斜視図である。
【図３】本発明の実施の形態に係るオーディオ・ビジュアル機器のブロック図である。
【図４】実施の形態に係るオーディオ・ビジュアル機器の表示制御部による水平方向の処理動作を説明するための図である。
【図５】実施の形態に係るオーディオ・ビジュアル機器の表示制御部による水平方向の処理動作を説明するためのタイミングチャートである。
【図６】本発明の実施形態に係るオーディオ・ビジュアル機器の表示制御部による垂直方向の処理動作をした際のビデオメモリと画面表示の関係を説明するための図であり、（１）はビデオメモリの格納状態を、（２）は画面表示の状態を説明する図である。
【図７】本発明の実施形態に係るオーディオ・ビジュアル機器の表示制御部における通常ラインのビデオメモリと表示メモリとの関係を説明するための図であり、（１）が通常ラインのビデオメモリと第１の表示メモリとの関係を、（２）が補間ラインのビデオメモリと第２の表示メモリとの関係を示す図である。
【図８】実施の形態に係るオーディオ・ビジュアル機器の表示制御部による垂直方向の処理動作を説明するためのタイミングチャートである。
【図９】従来の表示制御回路を含む表示系統を示すブロック図である。
【符号の説明】
１０………オーディオ・ビジュアル機器、１４………表示部、２８………ＴＶチューナ、３０………ＦＭチューナ、４４………処理装置（機器制御部）、５０………音声・画像再生部、５２………表示制御回路（表示制御部）、５４………ビデオメモリ、９０………表示系統、９２………バッファ、９４………表示メモリ制御手段、９６ａ………第１の表示メモリ、９６ｂ………第２の表示メモリ。
【図１】
0003852105.tif 000002
【図２】
0003852105.tif 000003
【図３】
0003852105.tif 000004
【図４】
0003852105.tif 000005
【図５】
0003852105.tif 000006
【図６】
0003852105.tif 000007
【図７】
0003852105.tif 000008
【図８】
0003852105.tif 000009
【図９】
0003852105.tif 000010